(57)【要約】【課題】充電を行いながら使用する時計に用いる時計用充電電源装置及び充電式時計を提供することを課題とする。【解決手段】本発明の時計用充電電源装置１０Ａは、二次電池１１を備えた充電手段１２と、該充電手段１２からの電源を供給する端子１３とを内蔵する充電ユニット本体１４とを設けてなると共に、該充電ユニット本体１４に、一次電池を内蔵しない電気式時計ムーブメント１５を一体に嵌合する嵌合部１６を設けたものである。【選択図】　　　図１
2004117304.tif 000002
【特許請求の範囲】
【請求項１】
二次電池を備えた充電手段と、該充電手段からの電源を供給する端子とを内蔵する充電ユニット本体とを設けてなると共に、
該充電ユニット本体に、一次電池を内蔵しない電気式時計ムーブメントを一体に嵌合する嵌合部を設けたことを特徴とする時計用充電電源装置。
【請求項２】
請求項１において、
上記嵌合部内に端子が臨まれ、電気式時計ムーブメントを嵌合した際に、電気的に接続してなることを特徴とする時計用充電電源装置。
【請求項３】
請求項１又は２において、
上記充電手段が二次コイルを備え、電磁誘導により充電することを特徴とする時計用充電電源装置。
【請求項４】
請求項３において、
上記二次コイルが二次電池の周囲に配設してなることを特徴とする時計用充電電源装置。
【請求項５】
請求項１乃至４のいずれか一つに記載の時計用充電電源装置に電気式時計ムーブメントを一体に嵌合してなることを特徴とする充電式時計。
【発明の詳細な説明】
【０００１】
【発明の属する技術分野】
本発明は、充電を行いながら使用する時計に用いる時計用充電電源装置及び充電式時計に関する。
【０００２】
【従来の技術】
電気式時計は内部に一次電池を内蔵し、電池の寿命ごとに電池交換をしていた。この電池交換をせずに、放置すると一次電池の汚染が生じることがあり、これを解消することが望まれている。
【０００３】
従来においては、上記課題を解消する手段として、充電式の時計用ムーブメントが提案されている。
【０００４】
従来の充電式ムーブメントは充電の手段とムーブメントとが一体で専用設計によりなされている（特許文献１）。
この種の腕時計型電子機器用充電台として、箱型の展示台を使用するものがある。すなわち、充電台は、箱型の展示台の中に充電コイルを収納してなり、使用時はその展示台上に電磁誘導充電式電子腕時計を載せ、内蔵する充電コイルに通電することにより該充電コイルに磁束を発生し、その磁束によって電磁誘導により電子腕時計内の発電コイルに電流を発生し、その電子腕時計の二次電池を充電するものである。
【０００５】
【特許文献１】
特開昭６４−８３１８６号公報
【０００６】
【発明が解決しようとする課題】
しかしながら、従来の充電式時計は時計内部に、直接発電コイルを内蔵したものであり、時計ごとに発電コイルを内蔵したムーブメントを独自に製造する必要がある、という課題がある。
【０００７】
このため、汎用のムーブメントを使用することができず、設計の自由度が損なわれるという、課題がある。
【０００８】
本発明は、上記問題に鑑み、汎用の時計ムーブメントを使用することができる時計用充電電源装置及びこの時計用充電電源装置を備えた充電式時計を提供することを課題とする。
【０００９】
【課題を解決するための手段】
前記課題を解決する本発明の第１の発明は、二次電池を備えた充電手段と、該充電手段からの電源を供給する端子とを内蔵する充電ユニット本体とを設けてなると共に、該充電ユニット本体に、一次電池を内蔵しない電気式時計ムーブメントを一体に嵌合する嵌合部を設けたことを特徴とする時計用充電電源装置にある。
【００１０】
第２の発明は、第１の発明において、上記嵌合部内に端子が臨まれ、電気式時計ムーブメントを嵌合した際に、電気的に接続してなることを特徴とする時計用充電電源装置にある。
【００１１】
第３の発明は、第１又は２の発明において、上記充電手段が二次コイルを備え、電磁誘導により充電することを特徴とする時計用充電電源装置にある。
【００１２】
第４の発明は、第３の発明において、上記二次コイルが二次電池の周囲に配設してなることを特徴とする時計用充電電源装置にある。
【００１３】
第５の発明は、第１乃至４のいずれか一つに記載の発明の時計用充電電源装置に電気式時計ムーブメントを一体に嵌合してなることを特徴とする充電式時計にある。
【００１４】
【発明の実施の形態】
以下、本発明の内容を発明の実施形態により詳細に説明するが、本発明はこれに限定されるものではない。
【００１５】
［第１の実施の形態］
図１は本実施形態にかかる時計用充電電源装置の概略図である。
本実施の形態の時計用充電電源装置１０Ａは、二次電池１１を備えた充電手段１２と、該充電手段１２からの電源を供給する端子１３とを内蔵する充電ユニット本体１４とを設けてなると共に、該充電ユニット本体１４に、一次電池を内蔵しない電気式時計ムーブメント１５を一体に嵌合する嵌合部１６を設けたものである。
【００１６】
上記充電手段１２は本実施の形態では回路基板２１と充電回路２２とから構成されており、二次電池１１に電源を供給するようにしている。なお、二次電池１１は基板２１の裏面側に設けた電池ホルダ２３により挟持されている。
【００１７】
この供給手段としては、機械式による自動巻きによる充電手段、太陽電池による充電手段、電源コードを用いる充電手段等種々選定することができる。
【００１８】
図２は図１の時計用充電電源装置１０Ａに、汎用の腕時計ムーブメント１５を一体に組み込んだ状態を示す。なお、図２中、符号３０は文字板を図示する。
【００１９】
図３乃至図５はその組み込む過程を示す。
図３は充電電源装置１０Ａの裏面（下方）側からの斜視図であり、汎用ムーブメント１５を嵌合部１６内に組込む前の状態図である。図４は図３の状態において汎用ムーブメント１５を嵌合部に組込んだ状態図である。図５は図４の状態を反転させて、将来文字板が取り付けられる側からみた斜視図である。なお、図中、符号３１は将来その端部に竜頭が設けられ、該竜頭の操作により針等を調節する調節軸を図示する。
【００２０】
ここで、汎用ムーブメントとは通常は一次電池を内蔵することができる電気質の時計機械要素であり、本発明においては、通常内蔵されている一次電池を外した状態のものを用いており、充電ユニット本体１４に形成された嵌合部１６内に嵌合されるものである。
汎用ムーブメント１５の一次電池用端子と上記嵌合部１６内に設けた端子１３とが接合されることにより、汎用ムーブメント１５内の機械要素の駆動がなされることになる。
なお、汎用ムーブメントの種類により端子の形状及び端子位置が異なるが、嵌合部１６内に設ける端子１３の位置及び形状等を多少調整することで解消でき、大幅な設計変更となるものではない。
【００２１】
また、ムーブメントの大きさにおいても、大きな嵌合部１６を形成し、隙間を充填材、スペーサ等のアタッチメント部材で埋めることで容易に対応が可能である。
よって、男性用と女性用とで大きさを区別する必要も解消される。
【００２２】
本実施の形態のような充電式とすることで、従来のような電池容量がなくなった場合に電池交換をする手間が解消される。また、充電式であるので、従来のような電池寿命を気にする必要がなくなる。
また、汎用の時計ムーブメントを使用することで、構造が簡単で安価に製造することができると共に、色々なムーブメントに簡易に対応することができる。
【００２３】
［第２の実施の形態］
図６は本実施形態にかかる時計用充電電源装置の概略図である。
本実施の形態の時計用充電電源装置１０Ｂは、二次電池１１を備えた充電手段１２と、該充電手段１２からの電源を供給する端子１３とを内蔵する充電ユニット本体１４と、該充電ユニット本体１４に、一次電池を内蔵しない電気式時計ムーブメント１５を一体に嵌合する嵌合部１６を設けると共に、上記充電手段１２に発電用の環状二次コイル４１を備え、電磁誘導により充電するようにしたものである。
【００２４】
本発明においては、上記二次コイルを充電電源装置５０のいずれの場所にも設置することができるが、本実施の形態においては、上記環状コイル４１を基板２１の裏面側で二次電池１１の周囲に配設するようにしている。これによりユニットの厚みを薄く維持することができる。
【００２５】
図７は図６の充電電源装置６０に汎用のムーブメント１５を嵌合部１６内に嵌合させた状態図である。
図７に基づき、電磁誘導による充電のための充電器６０について説明する。
図７に示すように、充電器６０は、扁平な箱型ケース６１内に環状の充電用コイル６２と充電器回路６３とを備えるものであり、上記充電器回路６３からは、電源コード６４を引き出してなる。
【００２６】
そして、この充電器６０を用いて充電電源装置１０Ｂへの充電を行うときは、図７に示すように、充電装置１０Ｂを充電器６０上に載せ、所定の位置決め手段により位置決めして一次コイル６２と二次コイル４１との軸線を一致させる。そして、通電することにより生ずる一次コイル６２の磁束で電磁誘導により二次コイル４１に電流を発生させ、二次電池１１への充電を完了する。
このように、電磁誘導に用いるコイルを充電電源装置１０Ｂ内に組込むことで容易に、電磁誘導による充電が簡易に行うことができる。
【００２７】
［第３の実施の形態］
図８は本実施形態にかかる時計用充電電源装置の概略図である。
本実施の形態の時計用充電電源装置１０Ｃは、二次電池１１を備えた充電手段１２と、該充電手段１２からの電源を供給する端子１３とを内蔵する充電ユニット本体１４と、該充電ユニット本体１４に、一次電池を内蔵しない電気式時計ムーブメント１５を一体に嵌合する嵌合部１６を設けると共に、上記充電手段１２に発電用の環状二次コイル４１及びＬＥＤ７１を備え、電磁誘導により充電すると共に、充電状態を表示するようにしたものである。
【００２８】
上記ＬＥＤ７１としては、例えば充電中に点灯させたり、充電が完了すると色が切り替わるようにさせたり、又は点灯あるいは消灯させるようにすることで、充電状態の確認を容易にしている。
【００２９】
本実施の形態においては、図８に示すように、充電電源装置１０Ｃに設けた回路基板２１に、赤色のＬＥＤ７１Ｒ及び緑色のＬＥＤ７１Ｇを各々時刻表示側に向けて取付けている。
【００３０】
そして、図９に示すように、文字板３０の６時側には、小さな間隙をもって表示孔３２ａ，３２ｂが設孔されている。そして、これらの表示孔３２ａ，３２ｂを通して両ＬＥＤ７１Ｒ，７１Ｇの点灯状態を容易に確認できるようにしている。なお、図９中、符号３３は時針、３４は分針、３５は秒針、３６は日付窓を各々図示する。
【００３１】
図１０には、充電電源装置１０Ｃの充電回路を示す。図１０から判るとおり、充電電源装置１０Ｃには、赤色のＬＥＤ７１Ｒと直列で、緑色のＬＥＤ７１Ｇとは並列に二次電池１１を設ける。
【００３２】
そして、いまこの充電器６０を用いて充電電源装置１０Ｃの充電を行うときは、上述したように、環状の一次コイル６２と二次コイル４１の軸線を一致させる。そして、通電することにより生ずる一次コイル６２の磁束で、電磁誘導により二次コイル４１に電流を発生させる。これにより、図１０に示すように、赤色のＬＥＤ７１Ｒと二次電池１１とにＩｂの電流が流れ、緑色のＬＥＤ７１ＧにＩｃの電流が流れる。
【００３３】
図１１に示すように、電流Ｉｂは時間ｔの経過と共に小さくなるが、電流Ｉｃは時間ｔの経過と共に大きくなる。そして、二次電池１１の充電が不十分なとこは、赤色のＬＥＤ７１Ｒが点灯するが、電流Ｉｂがａ以下となって十分に充電がされたときは、非点灯となる。逆にはじめ非点灯であった緑色のＬＥＤ７１Ｇは電流Ｉｃがａ以上となると、点灯するようになっている。これにより、充電の確認を行うことができる。
【００３４】
図１１は充電器６０をスタンド充電台８０に組み込み、充電中に時計の展示を可能とする状態を示している。
【００３５】
スタンド充電台８０は、平行に設けた２つの足部８２と該足部８２の基端側から立設する胴部８３とからなるスタンド部８１とこのスタンド部８１の胴部８３の上部から足部８２と同じ側に突出した載置部８４を形成している。
この載置部８４には時計載置面が形成され、その載置面のまわりにはそれを囲むように複数の時計位置決め突起８５を上向きに形成する。
【００３６】
いま、この電子時計用充電器を使用するには、図１２に示すように足部８２で支えて載置部８４の時計載置面に時計１００を置き、位置決め突起８５で位置決めする。
次いで、電源を入れて電磁誘導による充電を開始する。所定時間の充電により、面倒な電池交換を経ずに再度時計として使用できる。
【００３７】
【発明の効果】
以上述べたように、第１の発明は、二次電池を備えた充電手段と、該充電手段からの電源を供給する端子とを内蔵する充電ユニット本体とを設けてなると共に、該充電ユニット本体に、一次電池を内蔵しない電気式時計ムーブメントを一体に嵌合する嵌合部を設けたので、従来のような電池容量がなくなった場合に電池交換をする手間が解消される。また、充電式であるので、従来のような電池寿命を気にする必要がなくなる。さらに、汎用の時計ムーブメントを使用することで、構造が簡単で安価に製造することができると共に、色々なムーブメントに簡易に対応することができる。
【００３８】
第２の発明は、第１の発明において、上記嵌合部内に端子が臨まれ、電気式時計ムーブメントを嵌合した際に、電気的に接続してなるので、接続が簡易でかつ確実に行うことができる。
【００３９】
第３の発明は、第１又は２の発明において、上記充電手段が二次コイルを備え、電磁誘導により充電するので、充電が簡易となる。
【００４０】
第４の発明は、第３の発明において、上記二次コイルが二次電池の周囲に配設してなるので、時計の厚みを薄く維持することができる。
【００４１】
第５の発明は、第１乃至４のいずれか一つに記載の発明の時計用充電電源装置に電気式時計ムーブメントを一体に嵌合してなるので、電池が消耗しても電池交換の煩雑さが解消される。また、展示する場合であっても、充電式であるので、容易であり、かつ充電中にも時計をみることができる。
【図面の簡単な説明】
【図１】第１の実施形態の充電電源装置の概略図である。
【図２】第１の実施の形態の充電電源装置にムーブメントを組込んだ状態図である。
【図３】充電電源装置の裏面（下方）側からの斜視図である。
【図４】汎用ムーブメントを嵌合部に組込んだ状態図である。
【図５】図４の状態を反転させた状態図である。
【図６】第２の実施形態の充電電源装置の概略図である。
【図７】第２の実施の形態の充電電源装置にムーブメントを組込んだ状態図である。
【図８】第３の実施形態の充電電源装置の概略図である。
【図９】第３の実施の形態の時計の文字板の図である。
【図１０】回路図である。
【図１１】充電回路を流れる電流と充電時間の関係図、及びＬＥＤの点灯状態説明図である。
【図１２】充電器の斜視図である。
【符号の説明】
１０　時計用充電電源装置
１１　二次電池
１２　充電手段
１３　端子
１４　充電ユニット本体
１５　電気式時計ムーブメント
１６　嵌合部
２１　回路基板
２２　充電回路
２３　電池ホルダ
【図１】
2004117304.tif 000003
【図２】
2004117304.tif 000004
【図３】
2004117304.tif 000005
【図４】
2004117304.tif 000006
【図５】
2004117304.tif 000007
【図６】
2004117304.tif 000008
【図７】
2004117304.tif 000009
【図８】
2004117304.tif 000010
【図９】
2004117304.tif 000011
【図１０】
2004117304.tif 000012
【図１１】
2004117304.tif 000013
【図１２】
2004117304.tif 000014